(57)【要約】【課題】インターホン無線増設親機において、呼出待機時には電力消費を抑制することによって、十分な呼出待機時間を得ることのできる無線対応型インターホンシステムを提供する。【解決手段】無線増設親機通信制御手段４０Ａは、無線アダプタ３から親機２からの呼出信号に基づく通話呼出信号を受けるまでの期間は、第２の無線通信部４２のみを駆動して、無線アダプタ３との間で間欠通信を行なう一方、無線アダプタ３から通話呼出信号を受けた後は、第２の無線通信部４２の駆動を停止して、第１の無線通信部４１の駆動を開始させて、無線アダプタ３との間で、無線増設親機４が親機２を通じてドアホン子器１、または該親機２との間での通話を可能とする通信処理を行う構成とした。【選択図】図１
2006270883.tif 000002
【特許請求の範囲】
【請求項１】
ドアホン子器とインターホン親機とを信号線で接続し、更に該インターホン親機に無線アダプタを接続して、無線増設親機を付加して構成された、無線対応型インターホンシステムであって、
上記無線アダプタは、上記ドアホン子器とは接続せずに、上記親機に有線接続され、無線通信部と、無線アダプタ通信制御手段とを備えるとともに、上記無線増設親機は、第１の無線通信部と、それよりも消費電力の少ない間欠通信のための第２の無線通信部と、無線増設親機通信制御手段とを備えており、
上記無線増設親機通信制御手段は、上記無線アダプタから上記親機からの呼出信号に基づく通話呼出信号を受けるまでの期間は、上記第２の無線通信部のみを駆動して、上記無線アダプタとの間で間欠通信を行なう一方、上記無線アダプタから上記通話呼出信号を受けた後は、上記第２の無線通信部の駆動を停止して、上記第１の無線通信部の駆動を開始させて、上記無線アダプタとの間で、上記無線増設親機が上記親機を通じて上記ドアホン子器、または該親機との間での通話を可能とする通信処理を行う構成とされている、無線対応型インターホンシステム。
【請求項２】
ドアホン子器とインターホン親機とを信号線で接続し、更に該インターホン親機に無線アダプタを接続して、無線増設親機を付加して構成された、無線対応型インターホンシステムであって、
上記無線アダプタは、上記ドアホン子器とは接続せずに、上記親機に有線接続されており、かつ、第１の無線通信部と、無線アダプタ通信制御手段を備え、かつ
上記インターホン親機は、上記第１の無線通信部よりも電力消費の少ない間欠通信のための第２の無線通信部と、インターホン親機通信制御手段を備え、更に、上記無線増設親機は、第１の無線通信部と、それよりも電力消費の少ない間欠通信のための第２の無線通信部と、無線増設親機通信制御手段とを備えており、
上記無線増設親機通信制御手段は、上記無線アダプタから通話呼出信号を受けるまでの期間は、上記第２の無線通信部のみを駆動して、上記インターホン親機の上記第２の無線通信部との間で間欠通信を行い、かつ上記無線アダプタから上記親機からの呼出信号に基づく通話呼出信号を受けた後は、上記第２の無線通信部の駆動を停止して、上記第１の無線通信部の駆動を開始させて、上記無線アダプタを通じて上記ドアホン子器、または上記親機と、上記無線増設親機との間での通話を可能とする通信処理を行う構成としている無線対応型インターホンシステム。
【請求項３】
ドアホン子器とインターホン親機とを信号線で接続し、更に該インターホン親機に無線アダプタを接続して、無線増設親機を付加して構成された、無線対応型インターホンシステムであって、
上記無線アダプタは、いずれもが、上記ドアホン子器とは接続せずに上記親機に有線接続された、第１の無線通信部、第１の無線アダプタ通信制御手段とを有した第１の無線アダプタと、第１の無線通信部よりも消費電力の少ない間欠通信のための第２の無線通信部、第２の無線アダプタ通信制御手段を有した第２の無線アダプタとで構成され、さらに、上記無線増設親機は、第１の無線通信部と、それよりも消費電力の少ない間欠通信のための第２の無線通信部と、無線増設親機通信制御手段とを備えており、
上記無線増設親機通信制御手段は、上記第２の無線アダプタが上記親機からの呼出信号に基づく通話呼出信号を受けるまでの期間は、上記第２の無線通信部のみを駆動して、上記無線増設親機の上記第２の無線通信部との間で間欠通信を行なう一方、上記第２の無線アダプタから上記親機からの呼出信号に基づく通話呼出信号を受けた後は、上記第２の無線通信部の駆動を停止して、上記第１の無線通信部の駆動を開始させて、上記無線増設親機が上記第１の無線アダプタを通じて、上記無線増設親機が上記ドアホン子器、または上記親機との間での通話を可能とする通信処理を行う構成とされている、無線対応型インターホンシステム。
【請求項４】
請求項１〜３のいずれかにおいて、
上記ドアホン子器は、テレビカメラを備え、かつ上記インターホン親機、上記無線増設親機は、モニタテレビを備えているテレビインターホンシステムであることを特徴とする無線対応型インターホンシステム。
【発明の詳細な説明】
【技術分野】
【０００１】
本発明は、ドアホン子器とインターホン親機とを信号線で接続し、更に該インターホン親機に無線アダプタを接続して、無線増設親機を付加して構成された、無線対応型インターホンシステムの改良に関する。
【背景技術】
【０００２】
この種の無線対応型インターホンシステムは、一戸建住宅などで使用されている。
【０００３】
下記特許文献１は、この種の無線対応型インターホンシステムを開示しており、カメラ付ドアホン子器を２線式信号線で接続したテレビインターホン親機と、このテレビインターホン親機に有線接続された無線アダプタと、この無線アダプタとの間で無線信号の送受をすることにより、テレビインターホン親機との間で信号送受を行うテレビインターホン無線増設親機とで構成されている。
【０００４】
この種のシステムでは、テレビインターホン親機がカメラ付ドアホン子器より呼出を受けた際には、無線アダプタに対して呼出信号を送出し、これを受けた無線アダプタが呼出信号を無線信号としてテレビインターホン無線増設親機に送出することによって、無線増設親機の傍の人が呼出に応える操作を入力すればテレビインターホンの無線増設親機でも呼出音出力と、来客映像表示とを行わせるようにしている。
【特許文献１】特開２０００−２２４３１６公報
【発明の開示】
【発明が解決しようとする課題】
【０００５】
ところで、このようなシステムにおいて、テレビインターホン無線増設親機は、呼出待機時においても、無線アダプタとの間で無線通信を行っている。
【０００６】
すなわち、呼出待機時においては、無線アダプタから間欠的に確認要求信号を送出し、これに対する返信信号がテレビインターホン無線増設親機からあれば、無線アダプタは、テレビインターホン無線増設親機との間で必要な信号の送受を行って通信条件を確立しており、これにより、無線アダプタは、テレビインターホン親機から呼出信号を受信したときには、即座にテレビインターホン無線増設親機に呼出信号を送出できる。
したがって、テレビインターホン無線増設親機は、呼出待機時における無線通信でも電力を消費するため、特に、電池で駆動する場合の多いテレビインターホン無線増設親機においては、十分な呼出待機時間が得られない場合が多かった。
【０００７】
本発明は、このような事情を考慮して提案されるものであり、インターホン無線増設親機において、呼出待機時には電力消費を抑制することによって、十分な呼出待機時間を得ることのできる無線対応型インターホンシステムを提供することを目的とする。
【課題を解決するための手段】
【０００８】
請求項１は第１の本発明を提案し、ドアホン子器とインターホン親機とを信号線で接続し、更に該インターホン親機に無線アダプタを接続して、無線増設親機を付加して構成された、無線対応型インターホンシステムであって、上記無線アダプタは、上記ドアホン子器とは接続せずに、上記親機に有線接続され、第１の無線通信部と、それよりも消費電力の少ない間欠通信のための第２の無線通信部と、無線アダプタ通信制御手段とを備えるとともに、上記無線増設親機は、第１の無線通信部と、それよりも消費電力の少ない間欠通信のための第２の無線通信部と、無線増設親機通信制御手段とを備えており、上記無線増設親機通信制御手段は、上記無線アダプタから上記親機からの呼出信号に基づく通話呼出信号を受けるまでの期間は、上記第２の無線通信部のみを駆動して、上記無線アダプタとの間で間欠通信を行なう一方、上記無線アダプタから上記通話呼出信号を受けた後は、上記第２の無線通信部の駆動を停止して、上記第１の無線通信部の駆動を開始させて、上記無線アダプタとの間で、上記無線増設親機が上記親機を通じて上記ドアホン子器、または該親機との間での通話を可能とする通信処理を行う構成とされている。
【０００９】
請求項２は第２の本発明を提案し、ドアホン子器とインターホン親機とを信号線で接続し、更に該インターホン親機に無線アダプタを接続して、無線増設親機を付加して構成された、無線対応型インターホンシステムであって、上記無線アダプタは、上記ドアホン子器とは接続せずに、上記親機に有線接続されており、かつ、第１の無線通信部と、無線アダプタ通信制御手段を備え、かつ上記インターホン親機は、上記第１の無線通信部よりも電力消費の少ない間欠通信のための第２の無線通信部と、インターホン親機通信制御手段を備え、更に、上記無線増設親機は、第１の無線通信部と、それよりも電力消費の少ない間欠通信のための第２の無線通信部と、無線増設親機通信制御手段とを備えており、上記無線増設親機通信制御手段は、上記無線アダプタから通話呼出信号を受けるまでの期間は、上記第２の無線通信部のみを駆動して、上記インターホン親機の上記第２の無線通信部との間で間欠通信を行い、かつ上記無線アダプタから上記親機からの呼出信号に基づく通話呼出信号を受けた後は、上記第２の無線通信部の駆動を停止して、上記第１の無線通信部の駆動を開始させて、上記無線アダプタを通じて上記ドアホン子器、または上記親機と、上記無線増設親機との間での通話を可能とする通信処理を行う構成としている。
【００１０】
請求項３は第３の本発明を提案し、ドアホン子器とインターホン親機とを信号線で接続し、更に該インターホン親機に無線アダプタを接続して、無線増設親機を付加して構成された、無線対応型インターホンシステムであって、上記無線アダプタは、いずれもが、上記ドアホン子器とは接続せずに上記親機に有線接続された、第１の無線通信部、第１の無線アダプタ通信制御手段とを有した第１の無線アダプタと、第１の無線通信部よりも消費電力の少ない間欠通信のための第２の無線通信部、第２の無線アダプタ通信制御手段を有した第２の無線アダプタとで構成され、さらに、上記無線増設親機は、第１の無線通信部と、それよりも消費電力の少ない間欠通信のための第２の無線通信部と、無線増設親機通信制御手段とを備えており、上記無線増設親機通信制御手段は、上記第２の無線アダプタが上記親機からの呼出信号に基づく通話呼出信号を受けるまでの期間は、上記第２の無線通信部のみを駆動して、上記無線増設親機の上記第２の無線通信部との間で間欠通信を行なう一方、上記第２の無線アダプタから上記親機からの呼出信号に基づく通話呼出信号を受けた後は、上記第２の無線通信部の駆動を停止して、上記第１の無線通信部の駆動を開始させて、上記無線増設親機が上記第１の無線アダプタを通じて、上記無線増設親機が上記ドアホン子器、または上記親機との間での通話を可能とする通信処理を行う構成とされている。
請求項４は、第１〜３の本発明をテレビインターホンシステムに適用したものを提案しており、上記ドアホン子器は、テレビカメラを備え、かつ上記インターホン親機、上記無線増設親機は、モニタテレビを備えているテレビインターホンシステムであることを特徴とする。
【発明の効果】
【００１１】
請求項１によれば、無線アダプタと無線増設親機間では、ドアホン子器の呼出があるまでは、無線増設親機の第１の無線通信部の駆動を停止しておき、第２の無線通信部を駆動させて、相互に間欠通信をするため、無線増設親機の呼出待機時における消費電力を抑制することができる。よって、無線増設親機の呼出待機時間を従来より長くすることができる。
【００１２】
請求項２によれば、第２の無線通信部を無線アダプタではなくインターホン親機側に設けており、この形態であっても、無線増設親機の呼出待機時における消費電力を抑制することができる。よって、無線増設親機の呼出待機時間を従来より長くすることができる。同時に、無線アダプタの待機時における電力消費を抑制することができる。また、無線アダプタ周辺において、第１の無線通信部と第２の無線通信部との間での電波の干渉を防止できる。
【００１３】
請求項３によれば、無線アダプタとして、第１の無線通信部を備える第１の無線アダプタと、第２の無線通信部を備える第２の無線アダプタとを設けており、この形態であっても、無線増設親機の呼出待機時における消費電力を抑制することができる。よって、無線増設親機の呼出待機時間を従来より長くすることができる。同時に、それぞれの無線アダプタでは電力消費が一層抑制できる。また、無線アダプタ周辺において、第１の無線通信部と第２の無線通信部との間での電波の干渉を防止できる。さらに、インターホン親機には無線機能が外されているので、インターホン親機として従来どおりドアホン子器とのあいだで有線通信タイプのまま使いたい場合には無線アダプタを接続しない形態も採用可能である。
【００１４】
請求項４によれば、請求項１〜３の効果を発揮する無線対応型テレビインターホンシステムを提供できる。
【発明を実施するための最良の形態】
【００１５】
以下に、本発明の実施の形態について説明する。なお、本実施の形態においては、無線対応型テレビインターホンシステムに適用した例を示している。
【実施例１】
【００１６】
図１は、第１の本発明システムの基本構成の一例を模式的に示す図である。第１の本発明では、カメラ付ドアホン子器１の呼出釦の操作による呼出があるまでの呼出待機時においては、無線アダプタ３とテレビインターホン無線増設親機４とは、電力消費の少ない第２無線回路３２，４２を使用し無線通信を行うが、呼出があれば、第１無線回路３１，４１に切り換えて、音声信号、映像信号の送受をし、テレビインターホン親機２を通じて、テレビインターホン無線増設親機４とカメラ付ドアホン子器１との間の通話を可能とする。
【００１７】
このような第１の本発明に係るシステムでは、カメラ付ドアホン子器１、テレビインターホン親機２、無線アダプタ３は、２線式信号線などで構成された信号線Ｌを通じて渡り配線で接続されている。
そして、テレビインターホン無線増設親機４を設けて、無線アダプタ３との間で、制御信号、音声信号、映像信号の送受を無線信号で行うようになっている。
【００１８】
このような構成によれば、カメラ付ドアホン子器１での呼出があれば、信号線Ｌの電圧値が変動するので、この変動をテレビインターホン親機２が検知し、呼出を受けたことを認識する。
【００１９】
すると、テレビインターホン親機２は呼出動作をするとともに、呼出信号を無線アダプタ３、有線増設親機５に送出する。無線アダプタ３は、呼出信号を受けると、その呼出信号を無線信号の形式で送出する。なお、この無線信号形式の呼出信号を通話呼出信号という。また、有線増設親機５では呼出動作がなされる。
【００２０】
呼出動作をしているテレビインターホン親機２または有線増設親機５で応答があれば、カメラ付ドアホン子器１との間で通話路が形成され通話可能となる。
【００２１】
通話呼出信号を受けたテレビインターホン無線増設親機４は、呼出動作を行って住人を呼び出す。応答があれば、テレビインターホン無線増設親機４とカメラ付ドアホン子器１とで通話路が形成され、通話可能となる。
【００２２】
このような基本動作を行う第１の本発明システムでは、カメラ付ドアホン子器１の呼出待機時においては、無線アダプタ３とテレビインターホン無線増設親機４との間で無線信号の間欠送受を行って、無線アダプタ３とテレビインターホン無線増設親機４との無線通信条件を維持している。
【００２３】
図２は、第１の本発明システムの基本構成の一例を示すブロック図である。
【００２４】
カメラ付ドアホン子器１は、信号処理部１０、スピーカＳＰに出力される音声信号のレベルを増幅するスピーカアンプＡ１、マイクＭＩＣより入力された音声信号のレベルを増幅するマイクアンプＡ２、カメラ１１、呼出釦１２を備えている。
テレビインターホン親機２は、信号処理部２０、スピーカＳＰに出力される音声信号のレベルを増幅するスピーカアンプＡ１、マイクＭＩＣを通じて入力された音声信号のレベルを増幅するマイクアンプＡ２、モニタ２１、操作釦２２を備える。
無線アダプタ３は、無線アダプタ通信制御手段３０Ａを有する信号処理部３０、アンテナＡＮＴ１を有する第１無線通信部３１、アンテナＡＮＴ２を有し、第１無線通信部より電力消費が少ない第２無線通信部を備えている。
第１無線通信部３１は、テレビインターホン無線増設親機４との間で、音声信号、映像信号の送受を行って、テレビインターホン無線増設親機４とカメラ付ドアホン子器１との通話を可能にする。
第２無線通信部３２は、テレビインターホン親機１からの呼出信号の受信を待機する呼出待機時において、テレビインターホン無線増設親機４に対して、間欠的に確認要求信号を送出し、これに対する返信信号を受信する。
無線アダプタ通信制御手段３０Ａは、呼出待機時には、第１無線通信部３１を駆動させずに第２無線通信部３２のみを駆動させ、テレビインターホン無線増設親機４に間欠的に確認要求信号を送出し、返信信号を受信すれば、都度、返信フラグを更新する。
また、無線アダプタ通信制御手段３０Ａは、テレビインターホン親機２から呼出信号を受信したときには、第２無線通信部３２より通話呼出信号を送出してから、第２無線通信部３２の駆動を停止して第１無線通信部３１を駆動させ、少なくとも、通話に必要な信号の送受をさせる。
テレビインターホン無線増設親機４は、無線増設親機通信制御手段４０Ａを有する信号処理部４０、アンテナＡＮＴ１を有する第１無線通信部４１、アンテナＡＮＴ２を有する第２無線通信部４２、スピーカＳＰに出力される音声信号のレベルを増幅するスピーカアンプＡ１、マイクＭＩＣより入力された音声信号のレベルを増幅するマイクアンプＡ２、モニタ４３、操作釦４４を備えている。
第１無線通信部４１は、無線アダプタ３との間で、音声信号、音声信号の送受を行って、テレビインターホン無線増設親機４とカメラ付ドアホン子器１との通話を可能にする。
第２無線通信部４２は、無線アダプタ３からのテレビインターホン親機１からの呼出信号の受信を待機する呼出待機時において、テレビインターホン無線増設親機４から間欠的に送出される確認要求信号を受信し、これに対して返信信号を送出する。
無線増設親機通信制御手段４０Ａは、呼出待機時には、第１無線通信部４１を駆動させずに第２無線通信部４２のみを駆動させ、無線アダプタ３から間欠的に送出される確認要求信号を受信する毎に、返信信号を送出する。
また、無線増設親機通信制御手段４０Ａは、無線アダプタ３から通話呼出信号を受信したときには、第２無線通信部４２の駆動を停止して第１無線通信部４１を駆動させ、少なくとも、通話に必要な信号の送受をさせる。
このような構成の基本動作を、以下説明する。図３のフローチャートは、第１の本発明における無線アダプタの基本動作を示しており、図４のフローチャートは、第１の本発明におけるテレビインターホン無線増設親機の基本動作を示している。
無線アダプタ３は、図３に示すように、電源投入をすれば（１００）、呼出待機の状態となり、第１無線通信部３１の駆動を停止させたまま、第２無線通信部３２を駆動させる（１０１，１０２）。
テレビインターホン親機２から呼出信号を受信しない間は（１０３）、テレビインターホン無線増設親機４と、先述したような無線信号の間欠通信を行い、返信信号を受ける毎に返信フラグの更新をする（１０４，１０５）。
このような状態において、テレビインターホン親機２から呼出信号を受信したときには（１０３）、返信フラグが立っていなければ（１０６）、テレビインターホン親機２に対して、テレビインターホン無線増設親機４が不在の旨を返信する（１０７）。
一方、テレビインターホン親機２から呼出信号を受信したときに、返信フラグが立っていれば（１０６）、第２無線通信部３２より、通話呼出信号を送出してから（１０８）、第１無線通信部３１を駆動させ第２無線通信部の駆動を停止させる（１０９，１１０）。
ついで、テレビインターホン親機２から一定時間、映像信号や音声信号を受信しなかった場合には（１１１のＮ、１１２）、ステップ１０１に移行して、呼出待機状態に戻るが、一定時間内にテレビインターホン親機２から映像信号や音声信号を受信すると、テレビインターホン無線増設親機４とで第１無線通信部３１を介した信号の相互通信を行い（１１３）、テレビインターホン無線増設親機４とカメラ付ドアホン子器１とで通話可能とする。
通話が終了すれば（１１４）、ステップ１０１に移行し、呼出待機状態に戻る。
一方のテレビインターホン無線増設親機４は、図４に示すように、電源投入をすれば（２００）、呼出待機の状態となり、第１無線通信部４１の駆動を停止させたまま、第２無線通信部４２を駆動させ（２０１，２０２）、無線アダプタ３から通話呼出信号を受信するまでは、先述した間欠通信を行って、要求確認信号に応答して返信信号を送出する（２０３）。
このような状態で、無線アダプタ３から通話呼出信号を受信したときには（２０４）、第１無線通信部４１を駆動させ第２無線通信部４２の駆動を停止させる（２０５，２０６）。
ついで、呼出音出力をして住人を呼び出す（２０７）。所定時間の間で応答がなければ（２０８，２０９）、ステップ２００に移行して呼出待機状態となるが、所定時間の間で応答があれば、無線アダプタ３との間で、第１無線通信部４１を介した信号の相互通信を行い（２１０）、テレビインターホン無線増設親機４とカメラ付ドアホン子器１とで通話可能とする。
通話が終了すれば（２１１）、ステップ２００に移行し、呼出待機状態に戻る。
【実施例２】
【００２５】
図５は、第２の本発明システムの要部構成の一例を示すブロック図である。
【００２６】
第２の本発明システムでは、テレビインターホン親機２では、信号処理部２０には、インターホン親機無線通信手段２０Ａを設け、アンテナＡＮＴ２を有する第２無線通信部２３を設けている。
【００２７】
インターホン親機無線通信手段２０Ａは、第２無線通信部２３を使用して、テレビインターホン無線増設親機４の第２無線通信部４２との間で、先述した呼出待機時の処理を行って、テレビインターホン無線増設親機４の在、不在状況を把握する。
【００２８】
一方、インターホン親機無線通信手段２０Ａは、カメラ付ドアホン子器１の呼出を検知したときには、第２無線通信部２３により通話呼出信号を送出した後、第２無線通信部２３の駆動を停止する。
【００２９】
また、無線アダプタ３では、アンテナＡＮＴ１を有する第１無線通信部３１のみを設けている。無線アダプタ通信制御手段３０Ａは、テレビインターホン親機２からカメラ付ドアホン子器１の呼出に基づいた呼出信号を受信したときには、第１無線通信部３１を使用して、少なくとも通話に必要な信号の送受を、テレビインターホン無線増設親機４の第１無線通信部４１との間で行い、テレビインターホン無線増設親機４とカメラ付ドアホン子器１との通話を可能にする。
【００３０】
なお、その他の構成要素については、第１の本発明と同様であるので、同一符号を付して説明を省略する。
【実施例３】
【００３１】
図６は、第３の本発明システムの要部構成の一例を示すブロック図である。
【００３２】
第３の本発明システムでは、無線アダプタ３として、無線アダプタ３Ａ、３Ｂをテレビインターホン親機２に接続している。
【００３３】
無線アダプタ３Ａは、信号処理部３０には、第１無線アダプタ通信制御手段３０Ａを備え、アンテナＡＮＴ１を有する第１無線通信部３１を備えている。一方、無線アダプタ３Ｂは、信号処理部３０には、第２無線アダプタ通信制御手段３０Ｂを備え、アンテナＡＮＴ２を有する第２無線通信部３２を備えている。
【００３４】
無線アダプタ３Ｂの第２無線アダプタ通信制御手段３０Ｂは、第２無線通信部３２を使用して、先述した呼出待機時の処理を行って、在、不在の状況をテレビインターホン親機２に送出する。また、テレビインターホン親機２からカメラ付ドアホン子器１の呼出に基づいた呼出信号を受信したときには、第２無線通信部３２より通話呼出信号を送出させた後、第２無線通信部３２の駆動を停止させる。
【００３５】
無線アダプタ３Ａの第１無線アダプタ通信制御手段３０Ａは、テレビインターホン親機２からカメラ付ドアホン子器１の呼出に基づいた呼出信号を受信するまでの間は、第１無線通信部３１の駆動を停止させておき、テレビインターホン親機２から呼出信号を受信したときには、第１無線通信部３１を駆動させて、少なくとも通話に必要な信号の送受を、テレビインターホン無線増設親機４の第１無線通信部４１との間で行い、テレビインターホン無線増設親機４とカメラ付ドアホン子器１との通話を可能にする。
【００３６】
なお、その他の構成要素については、第１、２の本発明と同様であるので、同一符号を付して説明を省略する。
【図面の簡単な説明】
【００３７】
【図１】第１の本発明の基本構成の一例を模式的に示すブロック図
【図２】第１の本発明の基本動作の一例を示すブロック図
【図３】第１の本発明における無線アダプタの基本動作の一例を示すフローチャート
【図４】第１の本発明におけるテレビインターホン無線増設親機の基本動作の一例を示すフローチャート
【図５】第２の本発明の基本動作の一例を示すブロック図
【図６】第３の本発明の基本動作の一例を示すブロック図
【符号の説明】
【００３８】
１  カメラ付ドアホン子器
２  テレビインターホン親機
３，３Ａ、３Ｂ  無線アダプタ
４  テレビインターホン無線増設親機
２０Ａ  インターホン親機無線通信制御手段
３０Ａ，３０Ｂ  無線アダプタ通信制御手段
３１，４１  第１無線通信部
３２，４２  第２無線通信部
４０Ａ  無線増設親機通信制御手段
Ｌ  信号線
【図１】
2006270883.tif 000003
【図２】
2006270883.tif 000004
【図３】
2006270883.tif 000005
【図４】
2006270883.tif 000006
【図５】
2006270883.tif 000007
【図６】
2006270883.tif 000008